(57)【特許請求の範囲】
【請求項１】
軒先の野地板の上面に当接する野地板上面当接片と、
前記野地板上面当接片に接続して下方に延長され、前記野地板の小口面に対向する野地板小口面対向片と、
前記野地板小口面対向片に接続して前記野地板の下方に設けられる外壁の外装材の方向に延長され、該外装材の上面に当接する外装材当接片と、
前記外装材当接片に接続され、前記野地板小口面対向片に対向して起立する第一の起立片と、
前記第一の起立片に接続して前記野地板小口面対向片に向かって延長され、前記外装材当接片に対向する通気片と、
前記通気片に接続され、前記野地板小口面対向片に対向して起立する第二の起立片と、
前記第二の起立片に接続され、前記野地板上面当接片に対向すると共に、該野地板上面当接片との間に前記野地板を挟持する野地板下面当接片と、
前記野地板小口面対向片と前記外装材当接片の少なくとも一方に穿設され、前記野地板と前記外装材当接片との間に設けられる通気空間と外気とを連通する外部通気口と、
前記通気片に設けられ、前記小屋裏空間側で、前記通気空間と前記小屋裏空間とを連通する小屋裏通気口と、
を有することを特徴とする換気部材。
【請求項２】
軒先の野地板の上面に当接する野地板上面当接片と、
前記野地板上面当接片に接続され、前記野地板の小口面に対向する野地板小口面対向片と、
前記野地板の下面に対向する野地板下面対向片と、
前記野地板の下方に設けられる外壁の外装材に当接する外装材当接片と、
前記野地板小口面対向片と前記外装材当接片の少なくとも一方に穿設され、または前記野地板小口面対向片の端と前記外装材当接片の端とを離隔することにより形成され、前記野地板下面対向片と前記外装材当接片との間に設けられる通気空間と外気とを連通する外部通気口と、
前記小屋裏空間側に設けられ、前記通気空間と前記小屋裏空間とを連通する小屋裏通気口と、
を有し、
前記野地板小口面対向片と前記野地板の小口面との間、または前記野地板と前記野地板下面対向片との間に断熱材が設けられたことを特徴とする換気部材。
【発明の詳細な説明】
【技術分野】
【０００１】
本発明は、軒先の野地板の端部に設けられて外気と小屋裏空間とを連通して換気する換気部材に関するものである。
【背景技術】
【０００２】
一般に小屋裏空間の換気は軒天井に換気部材を設置して行われているが、軒先と外壁とが近接していて軒天井が構成できない場合や、納まりを単純にするために屋根軒先の先端で垂木の小口部に設けられる鼻隠し板を省略し、外装材を広小舞まで直接立ち上げる場合や、見栄掛かりとなる軒天井を避けて、広小舞部に換気部材を設置して小屋裏空間に外気を取り入れる場合においては、特許文献１〜３に記載されたように、屋根軒先の先端で垂木（たるき）の上部に設けられる広小舞（ひろこまい）付近に換気部材を設置する技術は有用である。
【先行技術文献】
【特許文献】
【０００３】
【特許文献１】特開２００１−３４９０２３号公報
【特許文献２】特開２００８−１５０９０４号公報
【特許文献３】特開２００８−３０４１４０号公報
【発明の概要】
【発明が解決しようとする課題】
【０００４】
しかしながら、前述の特許文献１の技術では、外部からの雨水の吹き込みに不安がある。また、軒先部分で野地板が省略されているので屋根葺き材の固定が不安定になるおそれがある。
【０００５】
また、特許文献２の技術では、通気部材を設置するための専用下地材を別途用意する必要があり、納まりも複雑になるため、通気部材の設置作業が煩雑である。
【０００６】
また、特許文献３の技術では、換気部材が外壁面に対して平行に設置されるため、屋根の種々の傾斜勾配にそれぞれ対応した多種類の換気部材を用意する必要がある。また、換気部材の底面が略水平方向に配置され、該底面の上方に吸気用開口部が形成されているため換気部材内に吹き込んだ雨水が底面上に溜まってしまうため排水用の開口部を別途設ける必要があった。排水が良好にできないと、換気部材内に溜まった水が換気部材の端部、コーナー部から建物内部に浸入するおそれがあり、その部分に別の防水上の措置が必要となり得る。
【０００７】
本発明は前記課題を解決するものであり、その目的とするところは、防水性、耐火性に優れ、納まりが簡単で容易に設置することが出来る換気部材を提供せんとするものである。
【課題を解決するための手段】
【０００８】
前記目的を達成するための本発明に係る換気部材の第１の構成は、軒先の野地板の上面に当接する野地板上面当接片と、前記野地板上面当接片に接続して下方に延長され、前記野地板の小口面に対向する野地板小口面対向片と、前記野地板小口面対向片に接続して前記野地板の下方に設けられる外壁の外装材の方向に延長され、該外装材の上面に当接する外装材当接片と、前記外装材当接片に接続され、前記野地板小口面対向片に対向して起立する第一の起立片と、前記第一の起立片に接続して前記野地板小口面対向片に向かって延長され、前記外装材当接片に対向する通気片と、前記通気片に接続され、前記野地板小口面対向片に対向して起立する第二の起立片と、前記第二の起立片に接続され、前記野地板上面当接片に対向すると共に、該野地板上面当接片との間に前記野地板を挟持する野地板下面当接片と、前記野地板小口面対向片と前記外装材当接片の少なくとも一方に穿設され、前記野地板と前記外装材当接片との間に設けられる通気空間と外気とを連通する外部通気口と、前記通気片に設けられ、前記小屋裏空間側で、前記通気空間と前記小屋裏空間とを連通する小屋裏通気口と、を有することを特徴とする。
【０００９】
また、本発明に係る換気部材の第２の構成は、軒先の野地板の上面に当接する野地板上面当接片と、前記野地板上面当接片に接続され、前記野地板の小口面に対向する野地板小口面対向片と、前記野地板の下面に対向する野地板下面対向片と、前記野地板の下方に設けられる外壁の外装材に当接する外装材当接片と、前記野地板小口面対向片と前記外装材当接片の少なくとも一方に穿設され、または前記野地板小口面対向片の端と前記外装材当接片の端とを離隔することにより形成され、前記野地板下面対向片と前記外装材当接片との間に設けられる通気空間と外気とを連通する外部通気口と、前記小屋裏空間側に設けられ、前記通気空間と前記小屋裏空間とを連通する小屋裏通気口と、を有し、前記野地板小口面対向片と前記野地板の小口面との間、または前記野地板と前記野地板下面対向片との間に断熱材が設けられたことを特徴とする。
【００１０】
また、本発明に係る換気部材の第３の構成は、前記第１、第２の構成において、前記外部通気口から前記通気空間に吹き込む風力によって作動し、該外部通気口から前記小屋裏通気口への通気路を塞ぐ開閉弁を設けたことを特徴とする。
【００１１】
また、本発明に係る換気部材の第４の構成は、前記第１〜第３の構成において、前記通気空間内に熱によって膨張する不燃性体積膨張材を設けたことを特徴とする。
【発明の効果】
【００１２】
本発明に係る換気部材の第１の構成によれば、野地板上面当接片を野地板の端部上面に当接し、野地板小口面対向片を野地板の小口面に対向させて換気部材を野地板端部に安定した状態で一体的に固定することが出来る。これにより、換気部材を取り付けるための専用下地材が不要である。また、軒先部分まで野地板が存在したままで換気部材を取り付けることが出来るので、屋根葺き材の固定に影響を与えることなく軒先部分（広小舞部分）に換気部材を設置することが出来る。また、換気部材は野地板の勾配なりに取り付けられるので、野地板の傾斜角度に対応して多種類の換気部材を用意する必要が無い。
【００１３】
また、野地板の傾斜角度に対応して換気部材が一体的に傾斜することで野地板小口面対向片と外装材当接片とが接続される角隅部に設けられるか、或いは野地板小口面対向片と外装材当接片との延長線上に位置する角隅部に設けられるか、或いは外装材当接片に設けられるか、或いは外装材当接片の延長線上に設けられた外部通気口が排水口を兼ね該換気部材内に吹き込んだ雨水の排水が良好に出来る。
【００１４】
また、外壁の外装材の上面を外装材当接片に当接して設置することで、野地板の下面と、外壁の上面との間に、小屋裏通気口と小屋裏空間とを連通する通気路を形成することが出来る。また、コーナーの納まりを単純にするため、コーナーの手前で換気部材を留める場合、或いはコスト低減を図るため、換気部材を建物全周に設置しないで、住宅の品質確保の促進等に関する法律における小屋裏換気基準等を満たす換気面積を確保できる分だけ換気部材を設置する場合があり得るが、これらの場合にあっては、換気部材を設置しない箇所は、外装材の上面を野地板の下面に当接するだけで良く、換気部材を設置した箇所と、換気部材を設置しない箇所とで外装材の取り合いが容易である。
【００１５】
本発明に係る換気部材の第２の構成によれば、前述した第１の構成と同様の効果を奏するとともに、野地板上面当接片と野地板下面対向片とにより野地板の端部上下面を挟み込み、野地板小口面対向片を野地板の小口面に対向させて換気部材を野地板端部に一体的に固定することが出来る。また、外壁が直接広小舞に接する場合は、建物外部と小屋裏空間とが接近することになり、建物周囲において発生する火災に対する小屋裏の防火性について不安が生じることになるが、野地板小口面対向片と野地板の小口面との間、または野地板と野地板下面対向片との間に断熱材が設けられたことで、火炎や熱気を受けた換気部材の熱伝導による野地板の炭化を軽減することが出来る。
【００１６】
本発明に係る換気部材の第３の構成によれば、外部通気口から通気空間に吹き込む風力によって作動し、該外部通気口から小屋裏通気口への通気路を塞ぐ開閉弁を設けたことで、台風等の吹き込みにより開閉弁が作動して外部通気口から小屋裏通気口への通気路を塞ぎ、小屋裏空間への雨水の浸入を防止することが出来る。開閉弁により止められた雨水は野地板小口面対向片と外装材当接片とが接続される角隅部に設けられるか、或いは野地板小口面対向片と外装材当接片との延長線上に位置する角隅部に設けられるか、或いは外装材当接片に設けられるか、或いは野地板小口面対向片と外装材当接片との間で外気側に設けられ、野地板下面対向片と外装材当接片との間に設けられる通気空間と外気とを連通する外部通気口から排水される。
【００１７】
本発明に係る換気部材の第３の構成によれば、通気空間内に熱によって膨張する不燃性体積膨張材を設けたことで、火災等で発生する熱により不燃性体積膨張材が熱により膨張して外部通気口から小屋裏通気口への通気路を塞ぎ、小屋裏空間への火炎の進入を防止することが出来る。
【図面の簡単な説明】
【００１８】
【図１】（ａ）は本発明に係る換気部材の第１実施形態を建物の屋根軒先に設けた様子を示す断面説明図、（ｂ）は（ａ）の部分拡大図である。
【図２】（ａ），（ｂ）は第１実施形態の換気部材の構成を示す斜視図及び断面図、（ｃ）は第１実施形態の換気部材に設けられた不燃性体積膨張材が熱により膨張して外部通気口から小屋裏通気口への通気路を塞ぐ様子を示す断面説明図である。
【図３】（ａ），（ｂ）は本発明に係る換気部材の第２実施形態の構成を示す斜視図及び断面図、（ｃ）は第２実施形態の換気部材に設けられた不燃性体積膨張材が熱により膨張して外部通気口から小屋裏通気口への通気路を塞ぐ様子を示す断面説明図である。
【図４】（ａ）は本発明に係る換気部材の第３実施形態を建物の屋根軒先に設けた様子を示す断面説明図、（ｂ）は（ａ）の部分拡大図である。
【図５】（ａ），（ｂ）は第３実施形態の換気部材の構成を示す斜視図及び断面図、（ｃ）は第３実施形態の換気部材に設けられた開閉弁が外部通気口から通気空間に吹き込む風力によって作動して該外部通気口から小屋裏通気口への通気路を塞ぐ様子を示す断面説明図、（ｄ）は第３実施形態の換気部材に設けられた不燃性体積膨張材が熱により膨張して外部通気口から小屋裏通気口への通気路を塞ぐ様子を示す断面説明図である。
【発明を実施するための形態】
【００１９】
図により本発明に係る換気部材の一実施形態を具体的に説明する。
【実施例１】
【００２０】
先ず、図１及び図２を用いて本発明に係る換気部材の第１実施形態について説明する。図１及び図２において、建物の屋根を支持する垂木（たるき）１の上部に野地板２が固定され、該野地板２の軒先側の端部に断面Ｊ字形状の広小舞カバー３が嵌合して取り付けられる。広小舞カバー３の外側には換気部材４の野地板上面当接片４ａと野地板下面対向片４ｇとが当接して嵌装され、該野地板上面当接片４ａに略直交して接続され垂下された野地板小口面対向片４ｂが不燃断熱材５を介在させて野地板２の小口面２ａに固定部材となる釘６により固定される。尚、換気部材４の野地板２への固定は、野地板上面当接片４ａ、野地板下面対向片４ｇ、野地板小口面対向片４ｂのうちの少なくとも１つの片を釘６やビス等の固定部材により固定することが出来る。
【００２１】
換気部材４の野地板上面当接片４ａの上部には断面くの字形状の水切り材７が取り付けられ、その上部に屋根葺き材８が載置されて野地板２に固定される。水切り材７を建物の全周に設けることで屋根面の排水が良好に出来る。
【００２２】
換気部材４は、軒先の野地板２の上面に当接する野地板上面当接片４ａと、該野地板上面当接片４ａに略直交して接続されて垂下され、複数のスリット形状の外部通気口11が形成されると共に、該野地板２の小口面２ａに不燃断熱材５を介在して当接する野地板小口面対向片４ｂと、該野地板小口面対向片４ｂに略直交して接続され、該野地板上面当接片４ａと略平行に配置されると共に、該野地板２の下方に設けられる外壁９の外装材10の上面10ａに当接する外装材当接片４ｃと、該外装材当接片４ｃに略直交して接続される起立片４ｄと、該起立片４ｄに略直交して接続され、複数のスリット形状の小屋裏通気口12が形成された通気片４ｅと、該通気片４ｅに略直交して接続される起立片４ｆと、該起立片４ｆに略直交して接続され、野地板２の下面に当接する野地板下面対向片４ｇと、該野地板下面対向片４ｇに略直交して接続されて垂下される水返し片４ｈとを有して構成されている。
【００２３】
本実施形態の換気部材４は一枚の金属板の所定位置に複数のスリット形状の外部通気口11及び小屋裏通気口12をプレス加工により形成し、更に折り曲げ加工により成形したものである。尚、換気部材４はアルミニウム製や合成樹脂製を採用することも出来る。
【００２４】
本実施形態では、外部通気口11は野地板小口面対向片４ｂと外装材当接片４ｃとの間で外気側（図１の左側）に設けられ、野地板下面対向片４ｇと外装材当接片４ｃとの間に設けられる通気空間13と外気とを連通する。外部通気口11は、野地板小口面対向片４ｂと外装材当接片４ｃとが接続される角隅部に設けられる。本実施形態では野地板小口面対向片４ｂの下部に外部通気口11を設けた場合の一例である。また、小屋裏通気口12は野地板下面対向片４ｇと外装材当接片４ｃとの接続部となる通気片４ｅに設けられ、通気空間13と小屋裏空間とを連通する。尚、小屋裏通気口12は起立片４ｄ、通気片４ｅ、起立片４ｆのうちの少なくとも１つに設けることでも良いが、比較的面積が大きくとれる通気片４ｅに小屋裏通気口12を設けることで大きな換気風量を確保することが出来る。
【００２５】
野地板小口面対向片４ｂの上部内面側にはロックウールフェルト等により構成される不燃断熱材５が接着剤や粘着テープ等により取り付けられており、野地板２の端部に野地板上面当接片４ａと野地板下面対向片４ｇとを嵌装して嵌合すると該野地板２の小口面２ａに該不燃断熱材５が当接する。換気部材４の野地板２に当接する部分に不燃断熱材５を設けることで、火炎や熱気を受けた換気部材４の熱伝導による野地板２の炭化を軽減することが出来る。
【００２６】
本実施形態では野地板上面当接片４ａの野地板小口面対向片４ｂ側の下方には野地板下面対向片４ｇが存在しないため野地板２の端部に野地板上面当接片４ａと野地板下面対向片４ｇとを嵌装して嵌合する作業が容易である。
【００２７】
また、野地板下面対向片４ｇの下面と、水返し片４ｈの外面（図１及び図２の左側面）には、図２（ｃ）に示すように、通気空間13内で熱により膨張して外部通気口11から小屋裏通気口12への通気路を塞ぐ不燃性体積膨張材14が接着剤や粘着テープ等により取り付けられている。不燃性体積膨張材14は、膨張性グラファイト系の防炎、防煙用シール材であって、通過熱風温度が約１８０℃で膨張し始め、十数倍に膨張する性質を有している。不燃性体積膨張材14としては、例えば、オーストリア  ケミー・リンツ社製の「インツメックス（商品名）」や種々の不燃性体積膨張材が適用可能である。
【００２８】
野地板下面対向片４ｇに略直交して接続されて垂下される水返し片４ｈにより外部通気口11から吹き込んだ雨水を止めて小屋裏空間への雨水の浸入を防止することが出来る。
【００２９】
図１において、17は外装材10を取り付ける外装下地材である。また、水切り材７及び外部通気口11の直下には図示しない支持部材により支持された雨樋15が設けられている。
【００３０】
上記構成によれば、野地板上面当接片４ａと野地板下面対向片４ｇとにより野地板２の端部上下面を挟持すると共に、釘６により野地板小口面対向片４ｂを野地板２の小口面２ａに固定することで、換気部材４を野地板２の端部に一体的に固定することが出来る。これにより、換気部材４を取り付けるための専用下地材が不要である。また、軒先部分まで野地板２が存在したままで換気部材４を取り付けることが出来るので、軒先部分まで屋根葺き材８を野地板２に安定して固定できる。
【００３１】
また、野地板２の傾斜角度に対応して換気部材４が一体的に傾斜する。これにより、野地板小口面対向片４ｂと外装材当接片４ｃとが接続される角隅部に設けられる外部通気口11が換気部材４の最下部に位置し、換気部材４の通気空間13内に吹き込んだ雨水の排水口を兼ねることが出来る。また、野地板２の傾斜角度に対応して多種類の換気部材４を用意する必要が無い。
【００３２】
また、外壁９の外装材10の上面10ａを外装材当接片４ｃに当接して設置することで、野地板２の下面と、外壁９の上面との間に、小屋裏通気口12と小屋裏空間とを連通する通気路16を形成することが出来る。また、建物全周において換気部材４を設置しない箇所が存在する場合には、外装材10の上面10ａを野地板２の下面に当接するだけで良く、換気部材４を設置した箇所と、換気部材４を設置しない箇所とで外装材10の取り合いが容易である。
【００３３】
また、通気空間13内で熱により膨張して外部通気口11から小屋裏通気口12への通気路を塞ぐ不燃性体積膨張材14を設けたことで、図２（ｃ）に示すように、火災等で発生する熱により不燃性体積膨張材14が通気空間13内で膨張して外部通気口11から小屋裏通気口12への通気路を塞ぎ、小屋裏空間への火炎の進入を防止することが出来る。
【実施例２】
【００３４】
次に図３を用いて本発明に係る換気部材の第２実施形態について説明する。前記第１実施形態では、野地板小口面対向片４ｂの下部に外部通気口11を設けた場合の構成について説明したが、本実施形態では、外装材当接片４ｃの野地板小口面対向片４ｂ側に複数のスリット形状の外部通気口11を設けたものである。また、野地板下面対向片４ｇの下面と、野地板小口面対向片４ｂの下部内面（図３（ｂ）の右側面）には、図３（ｃ）に示すように、通気空間13内で熱により膨張して外部通気口11から小屋裏通気口12への通気路を塞ぐ不燃性体積膨張材14が接着剤や粘着テープ等により取り付けられている。
【００３５】
本実施形態の外部通気口11も野地板小口面対向片４ｂと外装材当接片４ｃとの間で外気側（図１及び図３の左側）に設けられ、野地板下面対向片４ｇと外装材当接片４ｃとの間に設けられる通気空間13と外気とを連通する。本実施形態の小屋裏通気口12も野地板下面対向片４ｇと外装材当接片４ｃとの接続部となる通気片４ｅに設けられ、通気空間13と小屋裏空間とを連通する。外部通気口11は外装材当接片４ｃに設けられる。
【００３６】
尚、図示しないが、野地板小口面対向片４ｂの下部と、外装材当接片４ｃの野地板小口面対向片４ｂ側との両方に独立した複数のスリット形状の外部通気口11を設けても良いし、野地板小口面対向片４ｂの下部から外装材当接片４ｃの野地板小口面対向片４ｂ側に亘って連続した複数のスリット形状の外部通気口11を設けても良い。他の構成は、前記第１実施形態と同様に構成され、同様の効果を得ることが出来る。
【実施例３】
【００３７】
次に図４及び図５を用いて本発明に係る換気部材の第３実施形態について説明する。
【００３８】
本実施形態の換気部材４は、外側部材４Ａと内側部材４Ｂとの二部材から構成され、互いの軒先の野地板２の上面に当接する野地板上面当接片４ａと、該野地板２の小口面２ａに不燃断熱材５ａを介在して固定される野地板小口面対向片４ｂとが接着剤や粘着テープ、或いはスポット溶接等により一体的に取り付けられている。外側部材４Ａは、軒先の野地板２の上面に当接する野地板上面当接片４ａと、該野地板上面当接片４ａに略直交して接続されて垂下され、該野地板２の小口面２ａに不燃断熱材５ａを介在して固定される野地板小口面対向片４ｂと、該野地板小口面対向片４ｂに所定の傾斜角度で接続され、断面く字形状の水切り片４ｉとを有して構成される。
【００３９】
一方、内側部材４Ｂは、軒先の野地板２の上面に当接する野地板上面当接片４ａと、該野地板上面当接片４ａに略直交して接続されて垂下され、該野地板２の小口面２ａに不燃断熱材５を介在して当接する野地板小口面対向片４ｂと、該野地板小口面対向片４ｂに略直交して接続され、該野地板上面当接片４ａと略平行に配置されると共に、野地板２の下面に不燃断熱材５ｂを介在して当接する野地板下面対向片４ｇと、該野地板下面対向片４ｇに略直交して接続される起立片４ｆと、該起立片４ｆに略直交して接続され、複数のスリット形状の小屋裏通気口12が形成された通気片４ｅと、該通気片４ｅに略直交して接続される起立片４ｄと、該起立片４ｄに略直交して接続され、該野地板２の下方に設けられる外壁９の外装材10の上面10ａに当接する外装材当接片４ｃと、該外装材当接片４ｃに所定の傾斜角度で接続され、開閉弁18の台座18ａを挿入して保持する断面Ｕ字形状のクリップ片４ｊとを有して構成される。
【００４０】
尚、本実施形態では、換気部材４を外側部材４Ａと内側部材４Ｂとの二部材から構成した一例について説明するが、一枚の金属板や樹脂板等を軒先の野地板２の上面に当接する野地板上面当接片４ａの端部で折り返して該野地板上面当接片４ａと野地板小口面対向片４ｂとを二枚重ねて構成しても良い。
【００４１】
本実施形態の換気部材４も金属板からなる内側部材４Ｂに小屋裏通気口12をプレス加工により形成し、更に金属板からなる外側部材４Ａと内側部材４Ｂとを折り曲げ加工により成形したものである。尚、外側部材４Ａ及び内側部材４Ｂはアルミニウム製や合成樹脂製を採用することも出来る。
【００４２】
本実施形態では、外装材当接片４ｃの延長線上に外部通気口19が設けられる。即ち、外側部材４Ａの野地板小口面対向片４ｂに接続される水切り片４ｉと、内側部材４Ｂの外装材当接片４ｃに接続されるクリップ片４ｊとの間に形成される開口部が外部通気口19として構成される。
【００４３】
断面Ｕ字形状のクリップ片４ｊに台座18ａが挿入して保持された開閉弁18は、図５（ｃ）に示すように、外部通気口19から野地板下面対向片４ｇと外装材当接片４ｃとの間に設けられる通気空間13に吹き込む風力によって作動し、該外部通気口19から小屋裏通気口12への通気路を塞ぐ。外側部材４Ａの野地板小口面対向片４ｂに接続される水切り片４ｉの内面で開閉弁18に対向する位置には、ＥＰＤＭ（エチレン−プロピレン−ジエンゴム）発泡体等により構成されるクッション材20が設けられており、開閉弁18が作動すると、該開閉弁18の先端がクッション材20に接触して衝撃が緩和され、衝撃音の発生を防止する。
【００４４】
本実施形態においても、図４に示すように、野地板２の傾斜角度に対応して換気部材４が一体的に傾斜する。これにより、外装材当接片４ｃの延長線上に設けられる外部通気口19が換気部材４の最下部に位置し、該換気部材４内に吹き込んだ雨水の排水口を兼ねることが出来る。また、野地板２の傾斜角度に対応して多種類の換気部材を用意する必要が無い。
【００４５】
また、外部通気口19から通気空間13に吹き込む風力によって作動し、該外部通気口19から小屋裏通気口12への通気路を塞ぐ開閉弁18を設けたことで、台風等の吹き込みにより開閉弁18が作動して外部通気口19から小屋裏通気口12への通気路を塞ぎ、小屋裏空間への雨水の浸入を防止することが出来る。開閉弁18により止められた雨水は外装材当接片４ｃの延長線上に設けられる外部通気口19から排水される。他の構成は、前記各実施形態と同様に構成され、同様の効果を得ることが出来る。
【産業上の利用可能性】
【００４６】
本発明の活用例として、軒先の野地板の端部に設けられて外気と小屋裏空間とを連通して換気する換気部材に適用出来る。
【符号の説明】
【００４７】
１    …垂木
２    …野地板
２ａ  …小口面
３    …広小舞カバー
４    …換気部材
４Ａ  …外側部材
４Ｂ  …内側部材
４ａ  …野地板上面当接片
４ｂ  …野地板小口面対向片
４ｃ  …外装材当接片
４ｄ  …起立片
４ｅ  …通気片
４ｆ  …起立片
４ｇ  …野地板下面対向片
４ｈ  …水返し片
４ｉ  …水切り片
４ｊ  …クリップ片
５，５ａ，５ｂ  …不燃断熱材
６    …釘
７    …水切り材
８    …屋根葺き材
９    …外壁
10    …外装材
10ａ  …上面
11    …外部通気口
12    …小屋裏通気口
13    …通気空間
14    …不燃性体積膨張材
15    …雨樋
16    …通気路
17    …外装下地材
18    …開閉弁
18ａ  …台座
19    …外部通気口
20    …クッション材
【図１】
0005990368.tif 000002
【図２】
0005990368.tif 000003
【図３】
0005990368.tif 000004
【図４】
0005990368.tif 000005
【図５】
0005990368.tif 000006